(57)【要約】【課題】携帯端末を片手操作する場合に所望の操作ボタンを簡単な操作で確実に操作することができる表示方法を提供する。【解決手段】自端末の所定の部位への加圧を検知し、片手操作判定部１３が所定の部位への加圧に基いて片手操作と判定した場合に、ダイヤルコントロール作成部１８が片手操作エリアを作成する。そして、作成した片手操作エリアを表示部１４に表示する。それから、タップ操作により指定された座標位置に対応する操作ボタンを選択する。【選択図】図１
2017033106.tif 000002
【特許請求の範囲】
【請求項１】
表示機能およびタッチ入力機能を含むタッチパネルを備える携帯端末において、
自携帯端末の保持とタッチ入力を片手で行う片手操作を実行する際に、自端末を保持する前記片手が加圧する自端末の所定の部位への加圧状態を検知する加圧状態検知手段と、
前記加圧状態に基づいて自端末が片手で操作されているか否かを判定する片手操作判定手段と、
前記片手操作に対応して予め定められた片手操作エリアを登録する片手操作エリア登録手段と、有し、
前記片手操作判定手段が自端末は片手で操作されていると判定した場合に、表示中のアイコン画像またはボタン画像を前記片手操作エリア登録手段に登録されている片手操作エリア内に移動することを特徴とする片手操作機能を有する携帯端末。
【発明の詳細な説明】
【技術分野】
【０００１】
本発明は、表示装置（液晶パネル）と位置入力装置（タッチパット）を組み合わせたタッチパネルを具備する携帯端末の表示方法に関し、特にタッチパネルを片手で操作する際の携帯端末の表示技術に関する。
【背景技術】
【０００２】
近年、操作者にとって直感的な操作を可能とするタッチパネルを備えた携帯電話端末（以下、スマートフォンと呼称）が普及している。一方で、スマートフォンは、タッチパネルの操作性・視認性をよくするため、タッチパネルの大型化が進んでいる。そのため、片手で把持・操作入力する（以下、片手操作と呼称）ことが難しくなってきている。
【０００３】
これを解決する技術として、特許文献１には、事前にスマートフォンに備えられた加速度センサおよびタッチパネルのタッチ情報からユーザの片手操作における操作パターン（左手把持左手操作、右手把持右手操作）を学習しておき（初期学習モード）、平常時に（通常モード）、当該片手操作に係る操作パターンを検出すると、表示されているボタン（アイコン）の大きさおよび当該ボタンの配置位置を片手操作しやすい位置に変更する技術が開示されている。
【先行技術文献】
【特許文献】
【０００４】
【特許文献１】特開２０１２−１９１４４５号公報
【発明の概要】
【発明が解決しようとする課題】
【０００５】
しかしながら特許文献１に記載の技術では、初期学習モードにおいて事前にスマートフォンに操作パターンを学習させておかなければならない。また、通常モードから片手操作しやすいボタン配置に切り替える際、少なくとも１つ以上の操作パターンを入力しなければならず、タッチパネルのメリットである直感的な操作を損なう恐れがある。
【０００６】
さらに、片手操作しやすいボタン配置に切り替える際、再配置すべきボタン数が多いと、各ボタンを縮小して表示しなければならなくなり、操作者の誤操作の要因にもなりうる。
【０００７】
本発明は、上記課題について鑑みなされたものであってその目的は、携帯電話端末を片手操作する場合、操作者が事前に操作パターンを学習させることなく、かつタッチパネルの直感的な操作性を損なうことなく所望する操作ボタンを確実に操作することができる表示方法を提供することにある。
【課題を解決するための手段】
【０００８】
上記課題を解決するために、本発明は、表示機能およびタッチ入力機能を含むタッチパネルを備える携帯端末において、自携帯端末の保持とタッチ入力を片手で行う片手操作を実行する際に、自端末を保持する前記片手が加圧する自端末の所定の部位への加圧状態を検知する加圧状態検知手段と、前記加圧状態に基づいて自端末が片手で操作されているか否かを判定する片手操作判定手段と、前記片手操作に対応して予め定められた片手操作エリアを登録する片手操作エリア登録手段と、有し、前記片手操作判定手段が自端末は片手で操作されていると判定した場合に、表示中のアイコン画像またはボタン画像を前記片手操作エリア登録手段に登録されている片手操作エリア内に移動することを特徴とする。
【発明の効果】
【０００９】
本発明によれば、片手操作を検出した場合に、ＧＵＩ（Ｇｒａｐｈｉｃａｌ  Ｕｓｅｒ  Ｉｎｔｅｒｆａｃｅ）画面上に表示中のアイコン及びボタンを片手操作エリアに再配置することで、再配置後に縮小表示をせずにアイコンを表示できる。したがって、携帯端末を片手で操作する操作者は、直感的な操作性を失ことなく所望する操作ボタンを確実に操作することができる。
【図面の簡単な説明】
【００１０】
【図１】図１は、本発明の一実施の形態に係る携帯端末の概略機能構成図である。
【図２】図２は、本発明の一実施の形態に係る携帯端末の動作を説明するためのフロー図である。
【図３】図３は、携帯端末のタッチパネル上に並んだアプリのアイコンとタッチパネルの外周を示した図である。
【図４】図４は、携帯端末のタッチパネルにおける加圧面積と重心座標を示す図である。
【図５】図５は、携帯端末を片手操作中の場合に、タッチパネル上に表示されるダイヤルコントロールである。
【発明を実施するための形態】
【００１１】
以下に、本発明の一実施の形態について説明する。
【００１２】
図１は、本発明の一実施の形態に係る携帯端末１の概略機能構成図である。
【００１３】
本実施の形態に係る携帯端末１は、タッチパネルを備えており、図示するように、タッチ入力部１０と、加圧検知部１１と、タッチ操作判定部１２と、片手操作判定部１３と、表示部１４と、表示制御部１５と、主制御部１６と、選択アイコン検出部１７と、ダイヤルコントロール作成部１８と、片手操作エリア記憶部１９と、無線通信部２０と、呼制御部２１と、を有する。
【００１４】
タッチ入力部１０は、操作者のタッチ操作（タップ操作、フリック操作等）を受け付け、受付けたタッチ操作をタッチ操作判定部１２に渡す。また、タッチパネルは、タッチ入力部１０と表示部１４から構成される。
【００１５】
加圧検知部１１は、タッチ入力部１０を監視し、タッチ入力部１０の加圧状態に基づいて、後述するタッチパネルの外周３２の加圧面積と、当該加圧面積の重心座標を算出し、片手操作判定部１３へ通知する。また、タッチパネルの外周３２以外への加圧を検出した場合、加圧検知部１１は、主制御部１６に加圧された座標位置及び加圧された時間を通知する。
【００１６】
次に図３を用いて、タッチパネルの外周３２について説明する。
【００１７】
図３は、携帯端末１のタッチパネル上に並んだアプリのアイコン３１とタッチパネルの外周３２を示した図である。図示するように、携帯端末１のタッチパネル上には、アプリのアイコン３１と外周３２が構成される。
【００１８】
外周３２は、タッチパネルの表示・タッチ可能な領域の外枠を所定の幅（例えば３ｍｍ）で囲った枠線であり、外周３２の近傍を含む。図１の説明に戻る。
【００１９】
タッチ操作判定部１２は、タッチ入力部１０に対する操作者のタッチ操作の内容を判定し、表示部１４に後述するダイヤルコントロール５１を表示している場合に、タッチ操作判定部１２がタップ操作と判定すると、タップ位置座標を選択アイコン検出部１７に通知する。
【００２０】
片手操作判定部１３は、加圧検知部１１から通知されたタッチパネルの外周３２の加圧面積に基いて、操作者が片手操作を実施中か否か判定する。片手操作判定部１３は、片手操作を実施中であると判定すると、主制御部１６を介して、ダイヤルコントロール作成部１８にダイヤルコントロール作成の指示を出す。
【００２１】
次に図４を用いて、加圧面積と重心座標について説明する。
【００２２】
図４は、携帯端末１のタッチパネルにおける加圧面積４１と重心座標４２を示す図である。
【００２３】
一般に操作者が、携帯端末１を含むスマートフォンを片手で操作する場合、手の母指球をタッチパネルの外周３２を触れて操作する。その際、母指球によってタッチパネルの外周３２で加圧されている面積を加圧面積４１とし、当該加圧面積４１の重心を重心座標４２とする。図１に戻って説明を続ける。
【００２４】
片手操作判定部１３は、加圧検知部１１から図４で示したタッチパネルの外周３２の加圧面積４１と外周３２の加圧面積の重心座標４２を受け取ると、受け取った加圧面積４１が閾値（例えば、１０平方ミリメートル）以上の場合に片手操作中と判定する。そして、加圧面積４１が閾値以上と判定した場合、片手操作判定部１３は、ダイヤルコントロール作成部１８へ重心座標４２を通知するとともに、ダイヤルコントロールの作成を指示する。
【００２５】
表示部１４は、ＬＣＤ等タッチパネルにおける表示部である。表示制御部１５の指示に従って表示内容を切り替える。
【００２６】
表示制御部１５は、選択アイコン検出部１７またはダイヤルコントロール作成部１８の指示に従い、表示部１４の表示内容全般を制御する。
【００２７】
主制御部１６は、携帯端末１の動作全般を制御する。また、表示部１４に表示中のアイコンの処理を制御する。
【００２８】
選択アイコン検出部１７は、ダイヤルコントロール作成部１８により作成されたダイヤルコントロール５１が表示部１４に表示されているときに、タッチ操作判定部１２がタップ操作を受け付けた場合に、タップ操作の座標位置に対応するアイコンを、選択アイテムとして検出する。
【００２９】
ダイヤルコントロール作成部１８は、片手操作判定部１３からダイヤルコントロールの作成指示を受けると、表示制御部１５から、表示部１４に表示中のアイコンを取得し、ダイヤルコントロール５１に表示するアイコンの順番（例えば、アイコンの使用頻度順）を決定する。また、片手操作エリア記憶部１９を参照し、ダイヤルコントロール５１の半径５２を取得する。表示するアイコンの順番と片手操作エリア記憶部１９に記憶されている半径５２からダイヤルコントロール５１を作成する。
【００３０】
そして、ダイヤルコントロール作成部１８は、作成したダイヤルコントロール５１と外周３２の加圧面積４１の重心座標４２を表示制御部１５へ渡す。ダイヤルコントロール５１を渡されると、表示制御部１５は、ダイヤルコントロール５１を表示部１４に表示させる。
【００３１】
次に図５を用いてダイヤルコントロール５１について説明する。
【００３２】
図５は、携帯端末１を片手操作中の場合に、タッチパネルに表示されるダイヤルコントロール５１を示す図である。
【００３３】
図示するように、ダイヤルコントロール５１と、予め操作者が設定したダイヤルコントロール５１の半径５２と、中心座標５３とで構成される。図３の状態で、図４に示すように、手の母指球がタッチパネルの外周３２と、タッチパネルそのものに触れた場合に、加圧検知部１１が検出した外周３２の加圧面積４１の重心座標４２を、図５に示すダイヤルコントロール５１の中心座標５３とし、予め操作者が設定したダイヤルコントロール５１の半径５２の値で円を描いた場合の円周上にアプリのアイコン３１を並べる。ここで、図５の稀薄個所は、ダイヤルコントロール５１の内タッチパネルに表示されない個所を示している。
【００３４】
図５に示す例では、ダイヤルコントロールの中心座標と半径からアイコン表示最大数が４であり、図３に示すようなダイヤルコントロール表示前のＧＵＩ画面にアイコンが６つ表示されている場合は、６つのアイコンの内４つが表示され、残りのアイコンは表示部１４に表示されない。ここで、ダイヤルコントロール５１を表示中にフリック操作を受け付けた場合、ダイヤルコントロール５１を回転して、表示されていなかったアイコンを表示できる。図１に戻って説明を続ける。
【００３５】
片手操作エリア記憶部１９は、ダイヤルコントロール５１の半径５２を記憶する。ここで半径５２は、ユーザが片手操作する指（親指）の長さ若しくは親指の長さよりも短い長さであり、ユーザの操作に応じて長さは変更できる。
【００３６】
無線通信部２０は、携帯電話網や無線ＬＡＮ（Ｌｏｃａｌ  Ａｒｅａ  Ｎｅｔｗｏｒｋ）に接続するための通信インターフェースであり、通信制御全般を行う。
【００３７】
呼制御部２１は、携帯電話網を用いた発信、着信、及び音声通話の呼制御全般を処理する。
【００３８】
図２は、本発明の一実施の形態に係る携帯端末１の動作を説明するためのフロー図である。
【００３９】
本フローは、携帯端末１の電源が投入され、ＧＵＩ画面が表示している状態で開始される。
【００４０】
まず、加圧検知部１１は、タッチ入力部１０を監視し、タッチパネルの外周３２に加圧を一定期間以上検出する（Ｓ１０１）、または、タッチパネルの外周３２以外への加圧、またはタッチパネルの外周３２に加圧を一定期間未満検出する（Ｓ１１４）、のいずれかを検出するのを待つ。
【００４１】
タッチパネルの外周３２に加圧を一定期間以上検出した場合に（Ｓ１０１でＹＥＳ）、加圧検知部１１は、タッチパネルの外周３２の加圧領域を取得し、加圧領域における重心座標と加圧面積を算出し（Ｓ１０２）、片手操作判定部１３へ渡す。加圧領域における重心座標と加圧面積を渡されると、片手操作判定部１３は、加圧面積が閾値以上か否かを判定する（Ｓ１０３）。
【００４２】
加圧面積が閾値未満の場合に（Ｓ１０３でＮＯ）、片手操作判定部１３は、加圧検知部１１より通知された重心座標及び加圧された時間を主制御部１６に通知し、ステップ１１４に進む。
【００４３】
加圧面積が閾値以上の場合（Ｓ１０３でＹＥＳ）、片手操作判定部１３は、主制御部１６を介して、ダイヤルコントロール作成部１８へダイヤルコントロールの作成を指示すると共にステップ１０２で算出した重心座標を通知する。
【００４４】
ダイヤルコントロール作成部１８は、ダイヤルコントロールの作成指示と重心座標を受付けると、表示制御部１５から、表示部１４に表示されているアイコンの有無を確認する（Ｓ１０４）。
【００４５】
表示中のアイコンが無かった場合（Ｓ１０４でＮＯ）は、ステップ１１４へ進む。
【００４６】
表示中のアイコンが有った場合（Ｓ１０４でＹＥＳ）は、ダイヤルコントロール作成部１８は、表示制御部１５から表示部１４に表示されているアイコンを取得し、ダイヤルコントロールに表示するアイコンの順番を決定する。そして、ダイヤルコントロール作成部１８は、ダイヤルコントロール５１を作成する（Ｓ１０５）。そして、ダイヤルコントロール作成部１８は、作成したダイヤルコントロール５１と、重心座標４２を表示制御部１５へ渡す。表示制御部１５は、受け取った重心座標４２をダイヤルコントロールの中心座標５３として、表示部１４にダイヤルコントロール５１の表示を行う（Ｓ１０６）。
【００４７】
つぎに、タッチ操作判定部１２は、タッチ入力部１０を介して操作者からの入力を検出する（Ｓ１０７）、または操作者からの入力が所定の期間ない、またはダイヤルコントロール表示を解除する特定の操作（以下、表示解除操作）を検出する（Ｓ１１３）、のいずれかの状態になるのを待つ。
【００４８】
操作者からの入力が所定の期間ない、または表示解除操作を検出すると、タッチ操作判定部１２は、主制御部１６を介して表示制御部１５にダイヤルコントロール５１の表示削除を指示する。これを受けて、表示制御部１５は、ダイヤルコントロール５１の表示を削除し、元の画面意戻す（Ｓ１１１）。そしてステップ１０１に戻る。
【００４９】
タッチ入力部１０を介して操作者からの入力を検出すると（Ｓ１０７でＹＥＳ）、タッチ操作判定部１２は、タッチ操作の位置座標を取得し、取得した位置座標が表示中のダイヤルコントロール５１に配置されているアイコン３１上であるか判定する（Ｓ１０８）。
【００５０】
取得した位置座標が表示中のダイヤルコントロール５１に配置されているアイコン３１上でない場合に（Ｓ１０８でＮＯ）、ステップ１１１に移行する。
【００５１】
取得した位置座標が表示中のダイヤルコントロール５１に配置されているアイコン３１上である場合（Ｓ１０８でＹｅｓ）、タッチ操作判定部１２は、タッチ操作を解析し、操作内容が、タップ操作かフリック操作かを判定する（Ｓ１０９）。
【００５２】
操作内容が、タップ操作と判定した場合に（Ｓ１０９でタップ）、タッチ操作判定部１２は、選択アイコン検出部１７にタッチ操作に対応する位置座標を通知する。これを受けて、選択アイコン検出部１７は、片手操作エリア記憶部１９から通知された位置座標に対応するアイコンの処理内容を取得し、取得したアイコンの処理内容を主制御部１６に通知する。そして、主制御部１６は、選択アイコン検出部１７から通知された処理内容を実行する（Ｓ１１０）。そして、ステップ１１１に移行する。
【００５３】
操作内容が、フリック操作と判定した場合に（Ｓ１０９でフリック）、タッチ操作判定部１２は、主制御部１６を介して、表示制御部１５にフリック操作時の加速度と方向を通知する。これを受けて表示制御部１５は、通知されたフリック操作時の加速度と方向に応じてダイヤルコントロールを回転し（Ｓ１１２）、ステップ１０７に戻る。
【００５４】
タッチパネルの外周３２以外への加圧、またはタッチパネルの外周３２に加圧を一定期間未満検出した場合（Ｓ１１４でＹＥＳ）、加圧検知部１１は、主制御部１６に加圧された位置座標及び加圧された時間を通知する。通知を受けた主制御部１６は、通知された位置座標と通知された位置座標及び時間に応じた処理を実行する（Ｓ１１５）。そして、ステップ１０１に戻る。
【００５５】
以上、本発明の一実施の形態を説明した。
【００５６】
本実施の形態において、ダイヤルコントロールを回転させ、ＧＵＩ画面に表示されていたアイコン数がアイテム表示最大数を超える場合においても、アイコンの縮小表示をせずにアイコンを表示できる。したがって、直感的な操作性を失うことなく所望する操作ボタンを確実に操作することができる。
【００５７】
本実施の形態において、携帯端末１の加圧検知部１１は、自端末を片手で把持する際に、加圧されるタッチパネルの外周３２への加圧状態を検知したことで、片手操作と判定することを特徴としている。
【００５８】
さらに、携帯端末１において、前記加圧検知部１１が外周の近傍への加圧を検知し、かつ片手操作判定部１３が加圧されている面積が所定値以上であると判定した場合に片手操作と判定することを特徴とする。
【００５９】
なお、本発明は上記の実施の形態に限定されるものではなく、その要旨の範囲内で数々の変形が可能である。
【００６０】
例えば、上記の実施の形態では、ダイヤルコントロール上に配置するアイテムはＧＵＩ画面上に表示されていたアイコンとしているが、本発明はこれに限定されない。ダイヤルコントロール上に配置するアイテムとして、アンカー等のアイテムであってもよい。また、ダイヤルコントロールを操作するためボタンを配置してもよい。
【符号の説明】
【００６１】
１・・・携帯端末、１０・・・タッチ入力部、１１・・・加圧検知部、１２・・・タッチ操作判定部、１３・・・片手操作判定部、１４・・・表示部、１５・・・表示制御部、１６・・・主制御部、１７・・・選択アイコン検出部、１８・・・ダイヤルコントロール作成部、１９・・・片手操作エリア記憶部、２０・・・無線通信部、２１・・・呼制御部、３１・・・アイコン、３２・・・外周、４１・・・加圧面積、４２・・・重心座標、５１・・・ダイヤルコントロール、５２・・・半径、５３・・・中心座標。
【図１】
2017033106.tif 000003
【図２】
2017033106.tif 000004
【図３】
2017033106.tif 000005
【図４】
2017033106.tif 000006
【図５】
2017033106.tif 000007